(57)【特許請求の範囲】
【請求項１】
太陽熱を集熱する太陽熱集熱器と、
前記太陽熱集熱器にて集熱した前記太陽熱を受熱して蓄熱する蓄熱器と、
前記蓄熱器にて蓄熱した前記太陽熱を受熱して水と熱交換する熱交換器と、
前記太陽熱集熱器、前記蓄熱器及び前記熱交換器と熱的に接続されているヒートパイプとを備え、
前記ヒートパイプが、前記太陽熱集熱器に対応する位置に毛細管力の生じない構造を備え、前記蓄熱器と前記熱交換器に対応する位置に毛細管力の生じる構造を備えたことを特徴とする太陽熱利用温水器。 
【請求項２】
前記太陽熱集熱器、前記蓄熱器及び前記熱交換器が、同一の前記ヒートパイプに熱的に接続されていることを特徴とする請求項１に記載の太陽熱利用温水器。 
【請求項３】
太陽熱を集熱する太陽熱集熱器と、
前記太陽熱集熱器にて集熱した前記太陽熱を受熱して蓄熱する蓄熱器と、
前記蓄熱器にて蓄熱した前記太陽熱を受熱して水と熱交換する熱交換器と、
前記太陽熱集熱器、前記蓄熱器及び前記熱交換器と熱的に接続されているヒートパイプとを備え、
前記ヒートパイプが、前記太陽熱集熱器及び前記蓄熱器と熱的に接続されている第１ヒートパイプと、前記蓄熱器及び前記熱交換器と熱的に接続されている第２ヒートパイプからなり、 
前記第１ヒートパイプが、前記太陽熱集熱器に対応する位置に毛細管力の生じない構造を、前記蓄熱器に対応する位置に毛細管力の生じる構造を備え、前記第２ヒートパイプが、毛細管力の生じる構造を備えたことを特徴とする太陽熱利用温水器。 
【請求項４】
太陽熱を集熱する太陽熱集熱器と、
前記太陽熱集熱器にて集熱した前記太陽熱を受熱して蓄熱する蓄熱器と、
前記蓄熱器にて蓄熱した前記太陽熱を受熱して水と熱交換する熱交換器と、
前記太陽熱集熱器、前記蓄熱器及び前記熱交換器と熱的に接続されている熱伝導部材とを備えた太陽熱利用温水器であって、
前記蓄熱器が、前記熱伝導部材と熱的に接続された複数の蓄熱器用プレートフィンと、前記蓄熱器用プレートフィンに狭持された蓄熱部とを備え、
前記蓄熱部は、ラミネート材と前記ラミネート材にパッキングされた潜熱蓄熱材からなり、前記蓄熱器用プレートフィンの表面には、前記蓄熱部を保持するとともに前記蓄熱部と熱交換を行なうための突起が設けられていることを特徴とする太陽熱利用温水器。 
【請求項５】
前記蓄熱器が、複数備えられたことを特徴とする請求項１、３または４に記載の太陽熱利用温水器。 
【請求項６】
前記複数の蓄熱器が、該蓄熱器ごとに、それぞれ、融点の異なった潜熱蓄熱材を備えることを特徴とする請求項５に記載の太陽熱利用温水器。 
【請求項７】
前記融点の異なった潜熱蓄熱材の一部または全部が、常温で過冷却状態であることを特徴とする請求項６に記載の太陽熱利用温水器。 
【請求項８】
前記熱交換器が、前記ヒートパイプと熱的に接続された熱交換器用プレートフィンを備えたことを特徴とする請求項１または３に記載の太陽熱利用温水器。
【請求項９】
前記熱交換器が、前記熱伝導部材と熱的に接続された熱交換器用プレートフィンを備えたことを特徴とする請求項４に記載の太陽熱利用温水器。
【請求項１０】
前記熱交換器用プレートフィンが、管状体と熱的に接続されており、前記管状体には前記ヒートパイプの端部がはめ込み可能となっていることを特徴とする請求項８に記載の太陽熱利用温水器。
【請求項１１】
前記熱交換器用プレートフィンが、管状体と熱的に接続されており、前記管状体には前記熱伝導部材の端部がはめ込み可能となっていることを特徴とする請求項９に記載の太陽熱利用温水器。
【請求項１２】
前記熱交換器が、複数備えられたことを特徴とする請求項１、３または４に記載の太陽熱利用温水器。 
【請求項１３】
前記複数の熱交換器が、複数の蓄熱器と交互に配置されていることを特徴とする請求項１２に記載の太陽熱利用温水器。 
【請求項１４】
前記熱交換器が、第１熱交換部と、前記第１熱交換部とは別体であって、不凍液を介して前記第１熱交換部と熱的に接続されている第２熱交換部とを有することを特徴とする請求項１、３または４に記載の太陽熱利用温水器。 
【請求項１５】
前記太陽熱集熱器、前記蓄熱器及び前記熱交換器を熱的に接続した前記ヒートパイプが、並列に複数配置されていることを特徴とする請求項１または３に記載の太陽熱利用温水器。
【請求項１６】
前記太陽熱集熱器、前記蓄熱器及び前記熱交換器を熱的に接続した前記熱伝導部材が、並列に複数配置されていることを特徴とする請求項４に記載の太陽熱利用温水器。
【発明の詳細な説明】
【技術分野】
【０００１】
本発明は、太陽熱を受熱し、受熱した太陽熱の熱量を利用して水を加温する太陽熱利用温水器に関するものである。
【背景技術】
【０００２】
従来、太陽熱利用温水器は、太陽光の方向に向けた上面に透光性を有するガラス板等の板材を備えた箱体と、前記箱体内に設けられた集熱器とを有し、集熱器内に送り込まれて蓄えられた水を、透明性の板材を通過する太陽光の熱により温めて温水とする構成となっている。
【０００３】
図１２に示すように、太陽熱を利用して水を温め、さらに温めた水を生活に利用する従来技術として、例えば、箱体１０２内に設けられた集熱器と連通して集熱器内に水を供給するための入水管１０３と、集熱器と連通し、集熱器内において太陽光により温められた水を蓄えるための温水貯蔵タンク１０４と、温水貯蔵タンク１０４と連通して温水貯蔵タンク１０４内の温水を住宅内の風呂１０６等に供給するための出水管１０５とを設けた太陽熱利用温水器１０１が開示されている（特許文献１）。
【０００４】
しかし、上記した太陽熱利用温水器１０１は、十分な貯水量を確保するためには、温水貯蔵タンク１０４を大型化する必要があること、また、太陽熱利用温水器１０１は屋根への設置タイプであるため、満水時には重量が増して家屋への負担が大きいこと、上記事情から十分な温水量を確保できないことなどの問題があった。
【０００５】
そこで、温水貯蔵タンクを地上に設置する太陽熱利用温水器も開発されている。例えば、図１３に示すように、ポンプ２１０から連結管２１１を通じて不凍液が供給される温度センサを備える集熱板２０１と、集熱板２０１から連結管２１２を通じて不凍液が供給される熱交換器２０２と、熱交換器２０２が底部付近に収容された温度センサを備える温水貯蔵タンク２０３と、温水貯蔵タンク２０３に水道水を供給する第１供給管２１４と、温水貯蔵タンク２０３から入水管２１３を通じて温水が供給される混合器２０４と、混合器２０４に水道水を供給する第２供給管２１５と、温度設定器２０６を備えるガス湯沸かし器２０５に混合器２０４内の温水を供給する温水供給管２１６と、ガス湯沸かし器２０５と連通した出湯管２１７とを設けた太陽熱利用温水システム２００である。
【０００６】
しかし、上記した太陽熱利用温水システム２００でも、十分な貯水量を確保するためには温水貯蔵タンク２０３を大型化する必要があり、温水貯蔵タンク２０３の設置場所を十分確保できない場合には、やはり十分な温水量を得られないという問題があった。また、貯蔵された温水はタンク上部では熱く下部ではぬるくなるという温水貯蔵タンク２０３内部の温度分布ムラの問題もあった。
【０００７】
そこで、温水貯蔵タンクが省略された太陽熱利用給湯システムも開発されている。例えば、図１４（a）に示すように、断熱構成された底板３０２、側板３０３および透光板３０４とで箱状に形成され、その内部には略全面にわたり面状に蛇行配列された通水配管３０５と通水配管３０５を挟んで上下に配設した蓄熱体３０６とが設けられた太陽熱集熱器３０１を利用したものである（特許文献２）。そして、太陽熱集熱器３０１を利用した太陽熱利用給湯システム３１０は、図１４（b）に示すように、前記太陽熱集熱器３０１と、給水源３１２から導入された水道水を加熱して出湯する瞬間形ガス湯沸器３１１と、瞬間形ガス湯沸器３１１から出湯される水と太陽熱集熱器３０１から流入する水を混合する手段であって、一方は瞬間形ガス湯沸器３１１に接続され他方は給水源３１２に水道直結された太陽熱集熱器３０１の通水配管３０５の出口と接続されて両者の混合比率を調節する電動混合弁３１３と、電動混合弁３１３の混合比率を調節するために給湯湯温を検出する給湯湯温センサ３１４と、給湯湯温センサ３１４と電動混合弁３１３とに電気的に接続されている制御部３１５と、給水源３１２から太陽熱集熱器３０１を経て電動混合弁３１３に至る太陽熱管路３１６と、太陽熱管路３１６の太陽熱集熱器３０１上流から分岐し給水源３１２から電動混合弁３１３に直接接続されるバイパス管路３１７と、バイパス管路３１７の途中に設けた電磁開閉弁３１８と、給水源３１２からの水道水温を検出する入水温度センサ３１９と、太陽熱集熱器３０１近傍の外気温度を検出する外気温度センサ３２０を設けたものである（特許文献２）。
【０００８】
しかし、上記した太陽熱集熱器３０１では、蓄熱体３０６と通水配管３０５との間で熱交換を行なうので熱交換効率に劣り水温が十分に上昇しないこと、前記熱交換の仕組みから熱伝導率の高い蓄熱体３０６が必要であること、通水配管３０５の上下で日射の当たり具合が違うので蓄熱体３０６の構成を通水配管３０５の上下で変える必要があり太陽熱集熱器３０１の構造が複雑化すること、受熱量を確保するために通水配管３０５は太陽熱集熱器３０１の略全面にわたり面状に蛇行配列させる必要があるので、太陽熱集熱器３０１が大型化すること、通水配管３０５下側の蓄熱体３０６は十分な集熱ができず集熱効率に劣ること等といった問題があった。
【先行技術文献】
【特許文献】
【０００９】
【特許文献１】特開平７−９８１５７号公報
【特許文献２】特開２００３−８３６０８号公報
【発明の概要】
【発明が解決しようとする課題】
【００１０】
本発明は、上記従来技術の問題点に鑑み、温水貯蔵タンクが小型化または省略可能であり、熱交換効率に優れ、構造が簡素化、小型化された太陽熱利用温水器を提供することを目的とする。  
【課題を解決するための手段】
【００１１】
本発明の第１の態様は、太陽熱を集熱する太陽熱集熱器と、前記太陽熱集熱器にて集熱した前記太陽熱を受熱して蓄熱する蓄熱器と、前記蓄熱器にて蓄熱した前記太陽熱を受熱して水と熱交換する熱交換器と、前記太陽熱集熱器、前記蓄熱器及び前記熱交換器と熱的に接続されている熱伝導部材とを備えたことを特徴とする太陽熱利用温水器である。
【００１２】
この態様では、太陽熱集熱器、蓄熱器及び熱交換器は、相互に熱伝導部材を介して熱的に接続されている。すなわち、太陽熱集熱器で集熱された太陽熱は、太陽熱集熱器から熱伝導部材の該太陽熱集熱器の位置に相当する加熱部に伝達される。熱伝導部材の加熱部に伝達された太陽熱により熱伝導部材の入熱部が熱せられると、熱伝導部材の熱伝導により、太陽熱が熱伝導部材の加熱部から蓄熱器の位置に相当する熱伝導部材の熱中継部へ輸送され、太陽熱は、さらに熱中継部から蓄熱器へと輸送、蓄熱される。蓄熱した太陽熱を利用する場合は、蓄熱器に蓄熱された太陽熱を、前記熱伝導部材の熱中継部に伝達させ、熱伝導部材の熱中継部に伝達された太陽熱により熱伝導部材の熱中継部が熱せられると、熱伝導部材の熱伝導により、太陽熱が熱伝導部材の熱中継部から熱交換器の位置に相当する熱伝導部材の冷却部へ輸送され、太陽熱は、さらに冷却部から熱交換器へと輸送される。熱交換器へ輸送された太陽熱は、熱交換器にて水などへ熱交換される。熱伝導部材は、熱伝導性に優れた部材であれば特に限定されず、その材料としては、例えば、銅、鉄等の金属や金属合金が挙げられ、その形状としては、例えば、管状体、棒状体等の長尺物が挙げられる。また、熱伝導部材には、後述するように、ヒートパイプ等の熱輸送用部品も挙げられる。
【００１３】
本発明の第２の態様は、前記太陽熱集熱器、前記蓄熱器及び前記熱交換器が、同一の前記熱伝導部材に熱的に接続されていることを特徴とする太陽熱利用温水器である。この態様では、太陽熱集熱器、蓄熱器及び熱交換器が、１本の熱伝導部材に取り付けられ、また１本の熱伝導部材を介して熱的に接続されることで、一体化した構造となっている。
【００１４】
本発明の第３の態様は、前記熱伝導部材が、ヒートパイプであることを特徴とする太陽熱利用温水器である。すなわち、太陽熱集熱器で集熱された太陽熱は、太陽熱集熱器から放出されて、該太陽熱集熱器の位置に相当するヒートパイプの加熱部に伝達される。ヒートパイプの加熱部に伝達された太陽熱によりヒートパイプの作動液が蒸発し、蓄熱器の位置に相当するヒートパイプの熱中継部にて沸騰した蒸気が凝縮することで、太陽熱は加熱部から蓄熱器へと輸送、蓄熱される。蓄熱器に蓄熱された太陽熱は、前記ヒートパイプの熱中継部に伝達される。ヒートパイプの熱中継部に伝達された太陽熱によりヒートパイプの作動液が沸騰し熱交換器の位置に相当するヒートパイプの冷却部にて蒸発した作動液が凝縮することで、太陽熱は熱中継部から熱交換器へと輸送され、熱交換器にて水などへ熱交換される。
【００１５】
本発明の第４の態様は、太陽熱を集熱する太陽熱集熱器と、前記太陽熱集熱器にて集熱した前記太陽熱を受熱して蓄熱する蓄熱器と、前記蓄熱器にて蓄熱した前記太陽熱を受熱して水と熱交換する熱交換器と、前記太陽熱集熱器、前記蓄熱器及び前記熱交換器と熱的に接続されているヒートパイプとを備え、前記ヒートパイプが、前記太陽熱集熱器に対応する位置に毛細管力の生じない構造を備え、前記蓄熱器と前記熱交換器に対応する位置に毛細管力の生じる構造を備えたことを特徴とする太陽熱利用温水器である。太陽熱集熱器に対応する位置では毛細管力の生じないヒートパイプ構造となっているので、太陽熱を受熱できずに太陽熱集熱器が冷えた状態となっても蓄熱器から太陽熱集熱器への熱輸送はされない。
【００１６】
本発明の第５の態様は、前記ヒートパイプが、前記太陽熱集熱器及び前記蓄熱器と熱的に接続されている第１ヒートパイプと、前記蓄熱器及び前記熱交換器と熱的に接続されている第２ヒートパイプとからなることを特徴とする太陽熱利用温水器である。この態様では、蓄熱器には第１ヒートパイプと第２ヒートパイプが熱的に接続されており、第１ヒートパイプにより太陽熱が太陽熱集熱器から蓄熱器へ輸送され、第２ヒートパイプにより太陽熱が蓄熱器から熱交換器へ輸送される。
【００１７】
本発明の第６の態様は、太陽熱を集熱する太陽熱集熱器と、前記太陽熱集熱器にて集熱した前記太陽熱を受熱して蓄熱する蓄熱器と、前記蓄熱器にて蓄熱した前記太陽熱を受熱して水と熱交換する熱交換器と、前記太陽熱集熱器、前記蓄熱器及び前記熱交換器と熱的に接続されているヒートパイプとを備え、前記ヒートパイプが、前記太陽熱集熱器及び前記蓄熱器と熱的に接続されている第１ヒートパイプと、前記蓄熱器及び前記熱交換器と熱的に接続されている第２ヒートパイプからなり、前記第１ヒートパイプが、前記太陽熱集熱器に対応する位置に毛細管力の生じない構造を、前記蓄熱器に対応する位置に毛細管力の生じる構造を備え、前記第２ヒートパイプが、毛細管力の生じる構造を備えたことを特徴とする太陽熱利用温水器である。第１ヒートパイプの太陽熱集熱器に対応する位置では毛細管力の生じない構造となっているので、太陽熱を受熱できずに太陽熱集熱器が冷えた状態となっても蓄熱器から太陽熱集熱器への熱輸送はされない。
【００１８】
本発明の第７の態様は、前記蓄熱器が、前記熱伝導部材と熱的に接続された複数の蓄熱器用プレートフィンと、前記蓄熱器用プレートフィンに狭持された蓄熱部とを備えたことを特徴とする太陽熱利用温水器である。この態様では、熱伝導部材として例えばヒートパイプを用いる場合には、ヒートパイプの作動液により加熱部から熱中継部に輸送された太陽熱は、ヒートパイプの熱中継部に熱的に接続された蓄熱器用プレートフィンを介して、該蓄熱器用プレートフィンに狭持された蓄熱部に輸送、蓄熱される。
【００１９】
本発明の第８の態様は、太陽熱を集熱する太陽熱集熱器と、前記太陽熱集熱器にて集熱した前記太陽熱を受熱して蓄熱する蓄熱器と、前記蓄熱器にて蓄熱した前記太陽熱を受熱して水と熱交換する熱交換器と、前記太陽熱集熱器、前記蓄熱器及び前記熱交換器と熱的に接続されている熱伝導部材とを備えた太陽熱利用温水器であって、前記蓄熱器が、前記熱伝導部材と熱的に接続された複数の蓄熱器用プレートフィンと、前記蓄熱器用プレートフィンに狭持された蓄熱部とを備え、前記蓄熱部は、ラミネート材と前記ラミネート材にパッキングされた潜熱蓄熱材からなり、前記蓄熱器用プレートフィンの表面には、前記蓄熱部を保持するとともに前記蓄熱部と熱交換を行なうための突起が設けられていることを特徴とする太陽熱利用温水器である。
【００２０】
本発明の第９の態様は、前記蓄熱器が、複数備えられたことを特徴とする太陽熱利用温水器である。本発明の第１０の態様は、前記複数の蓄熱器が、該蓄熱器ごとに、それぞれ、融点の異なった潜熱蓄熱材を備えることを特徴とする太陽熱利用温水器である。この態様では、同一の蓄熱器には、同一の融点を有する潜熱蓄熱材が使用されるが、異なる蓄熱器の間では、それぞれ、異なる融点を有する潜熱蓄熱材が使用される。本発明の第１１の態様は、前記融点の異なった潜熱蓄熱材の一部または全部が、常温で過冷却状態であることを特徴とする太陽熱利用温水器である。「常温」とは、通常の外気温、例えば２０℃を意味する。
【００２１】
本発明の態様は、前記熱交換器が、前記ヒートパイプと熱的に接続された熱交換器用プレートフィンを備えたことを特徴とする太陽熱利用温水器である。本発明の第１２の態様は、前記熱交換器が、前記熱伝導部材と熱的に接続された熱交換器用プレートフィンを備えたことを特徴とする太陽熱利用温水器である。この態様では、熱伝導部材として例えばヒートパイプを用いる場合には、ヒートパイプの作動液により熱中継部から冷却部に輸送された太陽熱は、ヒートパイプの冷却部に熱的に接続された熱交換器用プレートフィンに輸送され、熱交換器用プレートフィンから外部へ放出される。
【００２２】
本発明の態様は、前記熱交換器用プレートフィンが、管状体と熱的に接続されており、前記管状体には前記ヒートパイプの端部がはめ込み可能となっていることを特徴とする太陽熱利用温水器である。本発明の第１３の態様は、前記熱交換器用プレートフィンが、管状体と熱的に接続されており、前記管状体には前記熱伝導部材の端部がはめ込み可能となっていることを特徴とする太陽熱利用温水器である。この態様では、熱交換器は、熱交換器用プレートフィンと該熱交換器用プレートフィンに接した管状体とを備えており、熱交換器用プレートフィンは管状体を介して熱伝導部材（例えば、ヒートパイプ）に熱的に接続されている。
【００２３】
本発明の第１４の態様は、前記熱交換器が、複数備えられたことを特徴とする太陽熱利用温水器である。本発明の第１５の態様は、前記複数の熱交換器が、複数の蓄熱器と交互に配置されていることを特徴とする太陽熱利用温水器である。
【００２４】
本発明の第１６の態様は、前記熱交換器が、第１熱交換部と、前記第１熱交換部とは別体であって、前記第１熱交換部と熱的に接続されている第２熱交換部とを有することを特徴とする太陽熱利用温水器である。この態様では、太陽熱集熱器と蓄熱器が取り付けられた熱伝導部材（例えば、ヒートパイプ）は第１熱交換部と熱的に接続されており、ヒートパイプの冷却部から第１熱交換部に輸送された太陽熱は、例えば不凍液などによって、第１熱交換部から第２熱交換部へ輸送され、第２熱交換部から外部へ放出される。
【００２５】
本発明の態様は、前記太陽熱集熱器、前記蓄熱器及び前記熱交換器を熱的に接続した前記ヒートパイプが、並列に複数配置されていることを特徴とする太陽熱利用温水器である。本発明の第１７の態様は、前記太陽熱集熱器、前記蓄熱器及び前記熱交換器を熱的に接続した前記熱伝導部材が、並列に複数配置されていることを特徴とする太陽熱利用温水器である。
【発明の効果】
【００２６】
第１の態様によれば、集熱した太陽熱の熱輸送に熱伝導部材を用いるので熱輸送性及び熱交換効率に優れ、太陽熱の利用効率が向上する。このように、太陽熱の利用効率が向上するので、太陽熱利用温水器の小型化が可能である。また、太陽熱集熱器、蓄熱器及び熱交換器は、相互に熱伝導部材を介して熱的に接続されているので、構造が簡素化、軽量化され、製造コストを低減できる。また、装置を軽量化できるので、設置時の屋根への負荷を抑えることができる。さらに、温水貯蔵タンクを小型化または省略できるので、狭小な空間にも設置可能である。
【００２７】
第２の態様によれば、太陽熱集熱器、蓄熱器及び熱交換器が、一本の熱伝導部材を介して一体化されるので、太陽熱が太陽熱集熱器から熱交換器へ輸送されるにあたり、熱損失が極めて小さくなり、更なる小型化も可能となる。第３の態様によれば、熱伝導部材にヒートパイプを用いるので、太陽熱の利用効率がさらに向上し、さらなる小型化、軽量化、低コスト化が可能となる。第４、第６の態様によれば、太陽熱集熱器が蓄熱器よりも冷えた状態となっても蓄熱器から太陽熱集熱器への熱輸送はされないので、熱輸送方向の変化を防止でき、蓄熱器の蓄熱性能が向上する。また、第５の態様によれば、蓄熱器の部分でヒートパイプを別体としているので、ヒートパイプの熱輸送方向の制御を容易化できる。
【００２８】
第７の態様によれば、蓄熱器に複数のプレートフィンが設けられているので、熱伝導部材の加熱部から熱中継部へ輸送された太陽熱は、蓄熱器に効率よく受熱される。また、蓄熱部材がプレートフィンに狭持されているので、プレートフィンから蓄熱部材への熱伝達性に優れており、またプレートフィンによって蓄熱部材を蓄熱器に固定できる。また、第８の態様によれば、プレートフィンの表面に、突起部が設けられているので、蓄熱部材を蓄熱器に確実に固定できる。
【００２９】
第９の態様によれば、蓄熱器が複数設けられているので、放熱のタイミングを複数回設定できる。第１０の態様によれば、蓄熱器ごとに潜熱蓄熱材の融点が異なるので、日射量が少ない場合にも、融点の低い潜熱蓄熱材が確実に蓄熱できる。第１１の態様によれば、常温で長期間熱を保存できる。
【００３０】
第１２の態様によれば、熱交換器にプレートフィンが設けられることで、蓄熱器から放出され熱伝導部材の熱中継部を介して冷却部へ輸送された太陽熱は、熱交換器に効率よく受熱され、さらに熱交換器から水道水へ効率よく熱伝達されるので、蓄熱器から熱交換器への熱伝達性及び熱交換器から水道水への熱伝達性能に優れている。また、プレートフィンの設置枚数を調整することで熱伝達性能が向上するので、太陽熱を水道水へ容易に供給でき、熱交換効率に優れる。さらに、熱交換効率に優れるので、熱交換器に水道を直結させることが可能となり、太陽熱利用温水器の適用範囲を広げることができる。第１３の態様によれば、プレートフィンを有する管状体に熱伝導部材を挿入すればよいので、熱交換器の太陽熱利用温水器からの分離と太陽熱利用温水器への組み付けが簡単であり、太陽熱利用温水器の設置、輸送が容易となる。第１４、第１５の態様によれば、放熱のタイミングを複数回設定しても、いずれのタイミングでも効率よく熱輸送できる。第１６の態様によれば、熱交換器には、熱伝導部材の冷却部と熱的に接続された第１熱交換部とは別体の第２熱交換部が設けられているので、蓄熱部と熱を水道水へ伝達する熱交換部とが離れていても太陽熱を効率よく利用できる。
【００３１】
第１７の態様によれば、太陽熱集熱器、蓄熱器及び前記熱交換器が設置された熱伝導部材が、並列に複数配置されているので、湯の使用量に応じて所望の湯温を得ることができる。
【図面の簡単な説明】
【００３２】
【図１】本発明の第１実施形態例に係る太陽熱利用温水器の外観斜視図である。
【図２】本発明の第１実施形態例に係る太陽熱利用温水器の概略を説明する断面図である。
【図３】（a）図は蓄熱器の部分正面図、同（b）図は（a）図のＩ‐Ｉ線断面図である。
【図４】（a）図は熱交換器の部分平面図、同（b）図は（a）図のＩＩ‐ＩＩ線断面図である。
【図５】第１実施形態例に係る太陽熱利用温水器の熱交換器部位を説明する断面斜視図である。
【図６】本発明の第２実施形態例に係る太陽熱利用温水器の説明図である。
【図７】本発明の第２実施形態例に係る太陽熱利用温水器の概略を説明する断面図である。
【図８】蓄熱器を複数備えた実施形態例に係る太陽熱利用温水器を説明する断面図である。
【図９】蓄熱器と熱交換器を複数備えた実施形態例に係る太陽熱利用温水器を説明する断面図である。
【図１０】その他の実施形態例である太陽熱集熱器の部分断面図である。
【図１１】本発明のその他の実施形態例に係る太陽熱利用温水器の概略を示す説明図である。
【図１２】第１の従来技術に係る太陽熱利用給湯システムの説明図である。
【図１３】第２の従来技術に係る太陽熱利用給湯システムの説明図である。
【図１４】（a）図は第３の従来技術に係る太陽熱集熱器の説明図、同（b）図は（a）図の太陽熱集熱器を用いた太陽熱利用給湯システムの説明図である。
【発明を実施するための形態】
【００３３】
次に、本発明の実施形態例に係る太陽熱利用温水器を図面に基づいて説明する。本発明の第１実施形態例に係る太陽熱利用温水器１は、図１に示すように、太陽熱を集熱する太陽熱集熱器１０が並列に複数（図１では１２個）配置された太陽熱集熱体２と、太陽熱集熱体２に隣接し、１２個の太陽熱集熱器１０から放出された太陽熱を受熱して蓄熱する蓄熱器２０と、蓄熱器２０に隣接し、蓄熱器２０から放出された太陽熱を受熱して外部（本実施形態例では水道水）へ伝達する熱交換器３０と、太陽熱集熱体２、蓄熱器２０及び熱交換器３０と熱的に接続された１２本のヒートパイプ４０から構成されている。１個の太陽熱集熱器１０あたり１本のヒートパイプ４０が熱的に接続されており、太陽熱は、１２本のヒートパイプを用いて、１２個の太陽熱集熱器１０から蓄熱器２０へ熱輸送される。そして、蓄熱器２０に輸送された太陽熱は、同じ１２本のヒートパイプを用いて、蓄熱器２０から熱交換器３０へ熱輸送される。上記ヒートパイプ４０は、例えば、銅、アルミニウムなどの熱伝導性に優れた金属製または上記金属からなる合金製である密閉されたコンテナの内部に、作動液が減圧状態で封入されている。コンテナの形状には、丸型、板状型、扁平状型等がある。コンテナの内壁にはグルーブが形成されており、グルーブの形成された内壁に毛細管力を備えたウィックが密着して配置されている。ヒートパイプ４０の内部には、作動液の流路となる空間が設けられている。この空間に収容された作動液が蒸発・凝縮の相変化とヒートパイプ４０内部の移動をすることによって、熱輸送が行われる。すなわち、熱源からヒートパイプ４０を構成するコンテナへ伝達されてきた熱により、ヒートパイプ４０の吸熱側において液相状態の作動液が蒸発して気相状態へ相変化し、作動液が蒸発して生成した蒸気がヒートパイプ４０の吸熱側から放熱側へ移動する。放熱側では、この蒸発した蒸気が冷却されることで作動液が気相状態から液相状態へ戻る。液相状態に戻った作動液は放熱側から再び吸熱側へ移動（還流）する。このように、太陽熱利用温水器１は、集熱した太陽熱の熱輸送にヒートパイプ４０を用いることで、熱輸送性及び熱交換効率に優れ、太陽熱の利用効率が向上し、また太陽熱利用温水器の小型化が可能となる。
【００３４】
図２に示すように、太陽熱集熱器１０と蓄熱器２０と熱交換器３０は、それぞれ同じヒートパイプ４０に連なって配置されている。すなわち、太陽熱集熱器１０と蓄熱器２０と熱交換器３０はヒートパイプ４０に取り付けられて一体化されている。ヒートパイプ４０に取り付けられた太陽熱集熱器１０、蓄熱器２０及び熱交換器３０は、ヒートパイプ４０表面に直接接触または間接的に接することで、ヒートパイプ４０と熱的に接続されている。太陽熱集熱体２から熱交換器３０へ輸送された太陽熱は、熱交換器３０から外部、すなわち水道水へ放出されて水道水の温度が上昇する。このように、太陽熱集熱器１０、蓄熱器２０及び熱交換器３０が、一本のヒートパイプ４０を介して一体化されるので、太陽熱集熱器１０から熱交換器３０への熱輸送にあたって、熱損失を抑えることができる。
【００３５】
太陽熱集熱器は、太陽熱を集熱できるものであれば特に限定されないが、太陽熱利用温水器１で用いられる太陽熱集熱器１０は、図２に示すように、内部が真空状態である透光性を有するガラス製管状部材１１と、ガラス製管状部材１１の内部に収容された黒色の集熱板１２を備えている。ヒートパイプ４０の外形はガラス製管状部材１１の中空部と嵌合可能な形状となっている。よって、ヒートパイプ４０がガラス製管状部材１１の中空部に挿入されると、太陽熱集熱器１０がヒートパイプ４０に取り付けられ、太陽熱集熱器１０とヒートパイプ４０が熱的に接続される。
【００３６】
太陽熱集熱器１０が太陽の日射を受光すると、ガラス製管状部材１１の壁部１４を通過した太陽熱が集熱板１２に受熱されて太陽熱集熱器１０が昇温する。昇温した太陽熱集熱器１０が、熱的に接続されたヒートパイプ４０の加熱部４１を加熱して、加熱部４１にてヒートパイプ４０の作動液が蒸発し、集熱した太陽熱を太陽熱集熱器１０から蓄熱部２０や熱交換部３０へ輸送する。
【００３７】
蓄熱器２０は、太陽熱集熱器１０で集熱され、太陽熱集熱器１０からヒートパイプ４０を用いて輸送される太陽熱を蓄熱するものである。図２、図３（a）に示すように、蓄熱器２０は、ヒートパイプ４０に取り付けられた複数の蓄熱器用プレートフィン２１と蓄熱器用プレートフィン２１に挟持された複数の蓄熱部２２を備えている。蓄熱器用プレートフィン２１は、ヒートパイプ４０と蓄熱部２２間で太陽熱を伝達するものである。このように、蓄熱器２０にプレートフィンを用いることで、ヒートパイプ４０・蓄熱部２２間における熱伝達を効率化できる。蓄熱部２２は、ヒートパイプ４０を境にして上下に配置され、蓄熱器用プレートフィン２１の略全面と接触した状態となっている。蓄熱部２２と接する蓄熱器用プレートフィン２１表面には、蓄熱部２２を保持するための突起２５が複数設けられており、蓄熱部２２を蓄熱器用プレートフィン２１に固定するとともに、蓄熱器用プレートフィン２１と蓄熱部２２の間の熱伝達特性を向上させることができる。
【００３８】
図３（b）に示すように、蓄熱部２２は、蓄熱器用プレートフィン２１に左右から狭持されることで、蓄熱器用プレートフィン２１間に保持されている。また、蓄熱部２２は、内部に潜熱蓄熱材２４を収容している。また、それぞれの蓄熱器用プレートフィン２１には、ヒートパイプ４０を嵌め差し込むための孔部（図示せず）、すなわちヒートパイプ４０の外形に対応した形状を有する孔部が、所定位置（ヒートパイプ４０の配置に対応した位置であって、蓄熱器用プレートフィン２１の高さ方向の略中央部）に所定数量（太陽熱利用温水器１では１２個）設けられている。各孔部に１本のヒートパイプ４０が挿入されることで、各孔部の内壁面と各ヒートパイプ４０表面が直接接触してそれぞれの蓄熱器用プレートフィン２１が１２本のヒートパイプ４０に取り付けられる。これにより、蓄熱器用プレートフィン２１と１２本のヒートパイプ４０は熱的にも接続される。従って、太陽熱集熱器１０からヒートパイプ４０で輸送されてきた太陽熱は、蓄熱器用プレートフィン２１に円滑に伝達される。
【００３９】
蓄熱器用プレートフィン２１のフィンピッチは、ヒートパイプ４０・蓄熱部２２間の伝熱機能を発揮する範囲であれば特に限定されない。また、蓄熱器用プレートフィン２１の設置枚数も、ヒートパイプ４０・蓄熱部２２間で熱交換効率が最適となるように設定される範囲であれば特に限定されない。さらに、必要に応じて、孔部にバーリングを設けて、蓄熱器用プレートフィン２１のヒートパイプ４０に対する固定性、熱的接続性を向上させてもよい。蓄熱器用プレートフィン２１は熱伝導性に優れた材料であれば特に限定されず、例えばアルミニウム、銅などの熱伝導性の良い金属材料を挙げることができる。
【００４０】
蓄熱部２２は、潜熱蓄熱材２４の相変化を用いて蓄熱器用プレートフィン２１に伝達された太陽熱を蓄熱するものであり、蓄熱器用プレートフィン２１に両側から狭持されることで蓄熱器２０に固定され、蓄熱器用プレートフィン２１と熱的に接続される。また、必要に応じて、蓄熱器用プレートフィン２１には、蓄熱部２２と接触する側の表面に突起２５が設けられている。蓄熱器用プレートフィン２１に狭持された蓄熱部２２は、突起２５によって、蓄熱器用プレートフィン２１に確実に固定される。また、蓄熱部２２は、突起２５によって、蓄熱器用プレートフィン２１との接触面積が増加するので、蓄熱器用プレートフィン２１と蓄熱部２２の間の熱伝達性能を向上させることができる。
【００４１】
蓄熱部２２は、潜熱蓄熱材２４を袋状のラミネート材２３でパッキングしたものである。潜熱蓄熱材２４は、その融解・凝固時の潜熱を利用して蓄熱・放熱するものであれば特に限定されず、例えば、酢酸ナトリウム・３水和塩、塩化マグネシウム・６水和塩、水酸化バリウム・８水和塩、キシリトール等を挙げることができる。潜熱蓄熱材２４を利用すると、水などの顕熱を利用する手法よりも蓄熱密度が大きくなるので、蓄熱器２０を小型化できる。なお、潜熱蓄熱材２４の使用量は、所要の湯温で十分な湯量が得られるように、適宜設定する。後述する実施例では、潜熱蓄熱材２４に酢酸ナトリウムを使用し、４２℃のお湯が６７０リットル（一般的な４人家族の一日の使用量）得られるように、潜熱蓄熱材２４の容量を約１０５リットルに設定している。太陽熱の蓄熱後に冷却された潜熱蓄熱材２４は、いわゆる過冷却状態となって、凝固点以下の温度に冷却されても凝固せず放熱が始まらないので、外部から、例えば、電圧、せん断応力などの所定手段で衝撃を与えることによって、潜熱蓄熱材２４の過冷却状態が解除される。その結果、潜熱蓄熱材２４に蓄熱されていた太陽熱が、潜熱蓄熱材２４から蓄熱部２２を挟持している蓄熱器用プレートフィン２１へ放出される。ラミネート材２３は、フィルム状の薄い部材からなる袋状容器であり、ポリ塩化ビニル等の樹脂製である。潜熱蓄熱材２４がフィルム状のラミネート材２３でパッキングされているので、蓄熱部２２は蓄熱器用プレートフィン２１に対して優れた接触性を有している。また、蓄熱器用プレートフィン２１が潜熱蓄熱材２４と直接接触して、蓄熱器用プレートフィン２１が腐食するのを防止できる。さらに、ラミネート材２３により、蓄熱時に液化した潜熱蓄熱材２４が蓄熱器２０へ流出するのを防止できるので、ヒートパイプ４０の蓄熱器用プレートフィン２１取り付け部に特別なシーリングを施さなくてもよく、潜熱蓄熱材２４の取り扱いを容易にすることができる。
【００４２】
蓄熱器２０の位置に相当するヒートパイプ４０の部位は熱中継部４２である。すなわち、太陽熱集熱器１０から放出された太陽熱を蓄熱器２０へ伝達し、蓄熱器２０から放出された太陽熱を熱交換器３０へ伝達する。なお、図１に示すように、蓄熱器２０は、蓄熱部２２を断熱する観点や外力による損傷を防止する観点から、樹脂製等のカバーで覆われた態様が好ましい。
【００４３】
熱交換器３０は、太陽熱集熱器１０または蓄熱器２０からヒートパイプ４０を用いて輸送されてきた太陽熱を水道水へ効率よく熱移動させるものである。図２、図４（a）に示すように、熱交換器３０は、ヒートパイプ４０に取り付けられた複数の熱交換器用プレートフィン３１を備えている。このように、熱交換器３０に複数のプレートフィンを用いることにより、ヒートパイプ４０が輸送した熱を水道水に効率よく伝達することができる。
【００４４】
図４（b）に示すように、それぞれの熱交換器用プレートフィン３１には、ヒートパイプ４０を嵌め差し込むための孔部（図示せず）、すなわちヒートパイプ４０の外形に対応した形状を有する孔部が、所定位置（ヒートパイプ４０の配置に対応した位置であって、熱交換器用プレートフィン３１の高さ方向の略中央部）に所定数量（太陽熱利用温水器１では１２個）設けられている。各孔部に１本のヒートパイプ４０が挿入されることで、各孔部の内壁面と各ヒートパイプ４０表面が直接接触して熱交換器用プレートフィン３１が１２本のヒートパイプ４０に取り付けられる。これにより、熱交換器用プレートフィン３１と１２本のヒートパイプ４０は熱的にも接続される。従って、蓄熱器２０からヒートパイプ４０で輸送されてきた太陽熱は、熱交換器用プレートフィン３１に円滑に伝達される。
【００４５】
熱交換器用プレートフィン３１のフィンピッチは、蓄熱部２２の放熱時の温度、温水システム出口で求められる湯温度、上水の温度及び熱交換器３０を流れる水道水の流量から決定される。後述する実施例では、潜熱蓄熱材２４の温度が６０℃付近のときに、水温５℃、毎分２０リットルの水を約５５℃に昇温できるように、５ｍｍの高さの熱交換器用プレートフィン３１にてフィンピッチ２ｍｍとした。なお、熱交換器用プレートフィン３１の高さやフィンピッチについては、所要の熱交換能力が得られる限り、後述する実施例の値に限定されない。さらに、必要に応じて、孔部にバーリングを設けて、熱交換器用プレートフィン３１のヒートパイプ４０に対する固定性、熱的接続性を向上させてもよい。さらに、熱交換器の水密構造を向上させるために、適宜、前記バーリング部分にシーリング用接着剤を塗布してもよい。また、ガスケット等のシール材を、一番外側、すなわち最も蓄熱器２０側の熱交換器用プレートフィン３１と押さえ板とで挟み、ボルトとナット等の固定部材で熱交換器用プレートフィン３１に押しつけてシール材を適度に潰してもよい。また、ヒートパイプ４０と押さえ板にねじ溝を切っておき、シール材を介して押さえ板を一番外側の熱交換器用プレートフィン３１に対して締め付けてもよい。熱交換器用プレートフィン３１は熱伝導性に優れた材料であれば特に限定されず、例えば銅、アルミニウムなどの熱伝導性の良い金属材料を挙げることができる。
【００４６】
熱交換器３０の位置に相当するヒートパイプ４０の部位は冷却部４３である。すなわち、蓄熱器２０から放出され熱中継部４２を通って冷却部４３に伝達された太陽熱は、ヒートパイプ４０内の沸騰した蒸気が熱交換器用プレートフィン３１によって冷却部４３にて冷却されて凝縮することにより、冷却部４３から熱交換器３０へ伝達される。
【００４７】
熱交換器３０は、給水源である水道に直接接続可能である。図５に示すように、水道水が熱交換器３０の一方の端部から供給されると、水道圧によって熱交換器３０内部を熱交換器用プレートフィン３１表面に対して平行方向に水道水が流れる。そして、熱交換器用プレートフィン３１・水道水間の熱交換により水道水が加温されて温水となり、熱交換器３０の他方の端部から出湯される。すなわち、蓄熱器２０に蓄えられた太陽熱は、熱交換器３０へ輸送されて、熱交換器用プレートフィン３１から熱交換器３０内に供給された水道水へ伝達され、熱交換器３０内を通水させている間に水道水が加温されて温水となる。従って、温水貯蔵タンクを省略できる。水道水及び温水の流路を規制しまた外部への漏水を防止するために、熱交換器３０は、通水方向と平行な壁面を有する樹脂製のカバー５０を備え付けた態様としている。カバー５０を熱交換器３０へ設ける手段は特に限定されず、例えば、熱交換器用プレートフィン３１の厚さ方向を形成する側面にカバー５０の内壁面を接触させて、その間を接着剤で固定、シーリングする方法などが挙げられる。
【００４８】
太陽熱利用温水器１で用いるヒートパイプ４０は、加熱部４１、熱中継部４２、冷却部４３からなり、図３（b）、図４（b）に示すように、長手方向と直交方向の断面形状が円形となっている。凝縮した作動液を還流させて熱輸送を円滑にするために、ヒートパイプ４０内部にウィック等の毛細管力を発生させる機構を設けてもよい。また、夜間や雨天時など太陽熱を受熱できずに太陽熱集熱器１０が冷えた状態となっても蓄熱器２０から太陽熱集熱器１０への熱の逆流を防止するために、加熱部４１内部については、毛細管力を発生させる機構を設けなくてもよい。加熱部４１内部について毛細管力を発生させる機構を設けなければ、加熱部４１から熱中継部４２への作動液の還流が抑制されるので、蓄熱器２０から太陽熱集熱器１０への熱の逆流を抑えることができる。
【００４９】
また、熱中継部４２から加熱部４１への凝縮した作動液の還流及び冷却部４３から熱中継部４１への凝縮した作動液の還流を促進しつつ、加熱部４１から熱中継部４２への凝縮した作動液の還流及び熱中継部４２から冷却部４３への凝縮した作動液の還流を防止するために、加熱部４１よりも冷却部４３が高い位置になるように太陽熱利用温水器１を設置してもよい。
【００５０】
次に、本発明の第１実施形態例に係る太陽熱利用温水器１の熱輸送の原理について、図２を用いながら説明する。太陽熱集熱器１０が太陽の日射を受光すると、太陽熱が集熱されて太陽熱集熱器１０が発熱体となり、太陽熱が太陽熱集熱器１０から太陽熱集熱器１０の位置に相当するヒートパイプ４０の加熱部４１へ熱伝達される。ヒートパイプ４０の加熱部４１へ伝達された太陽熱によりヒートパイプ４０の作動液が蒸発して蒸気となり、ヒートパイプ４０内部の蒸気の圧力差により蓄熱器２０の位置に相当するヒートパイプ４０の熱中継部４２へ流れる。そして、蒸気となった作動液がヒートパイプ４０の熱中継部４２にて冷却され凝縮して潜熱を放出することにより、太陽熱が熱中継部４２へ熱輸送される。熱中継部４２に熱輸送された太陽熱は蓄熱器２０に受熱される。凝縮した作動液は、熱中継部４２から加熱部４１へ戻される。この作動液の蒸発と凝縮を繰り返すことで、太陽熱集熱器１０で集熱された太陽熱は、加熱部４１と熱中継部４２を通って蓄熱器２０へと輸送され、蓄熱される。
【００５１】
蓄熱器２０に所定のトリガー（潜熱蓄熱材２４が液相から固相へ変化するきっかけ）を与えることで、蓄熱器２０に蓄熱されていた太陽熱は、蓄熱器２０から放出されてヒートパイプ４０の熱中継部４２へ伝達される。ヒートパイプ４０の熱中継部４２へ伝達された熱によりヒートパイプ４０の作動液が蒸発する。蒸気となった作動液は、熱中継部４２から熱交換器３０の位置に相当するヒートパイプ４０の冷却部４３へ流れる。そして、蒸気となった作動液がヒートパイプ４０の冷却部４３にて潜熱を放出して凝縮することにより、輸送された太陽熱が冷却部４３で放出される。冷却部４３で放出された太陽熱は熱交換器３０に受熱される。凝縮した作動液は、冷却部４３から熱中継部４２へ戻される。この作動液の蒸発と凝縮を繰り返すことで、蓄熱器２０で蓄熱されていた太陽熱は、熱中継部４２と冷却部４３を通って熱交換器３０へと輸送される。熱交換器３０へ輸送された太陽熱は、熱交換器３０からカバー５０内を通水する水道水へ熱伝達され、水道水が加温される。
【００５２】
次に、本発明の第１実施形態例に係る太陽熱利用温水器１の使用方法例について説明する。太陽熱利用温水器１は、太陽の日射を受光し易い場所（例えば、屋根）に、水平にまたは太陽熱集熱器１０よりも熱交換器３０が高い位置になるように傾斜をつけて設置する。熱交換器３０の一方の端部に給水源である上水道を配管する。出湯口となる熱交換器３０の他方の端部に給湯口に接続された給湯用配管を接続する。さらに、潜熱蓄熱材２４に外部からトリガー（本使用方法例では電圧）を与えるために、潜熱蓄熱材２４へ通電線を配線し、この通電線に潜熱蓄熱材２４へ電圧を印加するための操作スイッチを接続する。太陽熱利用温水器１の使用時に、この操作スイッチを作動させて潜熱蓄熱材２４に衝撃を与えることで、蓄熱されていた太陽熱が潜熱蓄熱材２４から放出される。なお、過度に昇温した湯を適温に調整するために、給湯用配管に、給水源である水道から分岐させた混合用配管を接続してもよい。給湯用配管を流れる湯に、混合用配管を通じて上水を混合することで、湯を適温に調整する。
【００５３】
次に、図６を用いて、本発明の第２実施形態例に係る太陽熱利用温水器１´について説明する。上記第１実施形態例に係る太陽熱利用温水器１は、１２個の太陽熱集熱器１０から放出された太陽熱を受熱して蓄熱する１つの蓄熱器２０と、蓄熱器２０から放出された太陽熱を受熱して水と熱交換する熱交換器３０が、相互に分離できない一体型の構造となっていたが、図６に示すように、蓄熱器２０に代えて、複数に分割（本実施形態例では４つに分割）された蓄熱器、すなわち４つの分離式蓄熱器２０´‐１、２０´‐２、２０´‐３、２０´‐４からなる蓄熱器２０´と、熱交換器３０に代えて、分離式蓄熱器２０´‐１、２０´‐２、２０´‐３、２０´‐４から取り外し可能な熱交換器３０´を有する太陽熱利用温水器１´としてもよい。分離式蓄熱器２０´‐１、２０´‐２、２０´‐３、２０´‐４は、第１実施形態例で用いたそれぞれの蓄熱器用プレートフィン２１を、フィンの長手方向と直交方向に４分割した蓄熱器用プレートフィン２１´を用いることで形成される。この実施形態例では、分離式蓄熱器２０´‐１、２０´‐２、２０´‐３は、それぞれ、２本のヒートパイプ４０によって２個の太陽熱集熱器１０と一体的に接続されている。また、分離式蓄熱器２０´‐４は分離式蓄熱器２０´‐１、２０´‐２または２０´‐３を３個分接続した態様となっている。また、１２本のヒートパイプ４０の冷却部４３は、それぞれ分離式蓄熱器２０´‐１、２０´‐２、２０´‐３、２０´‐４の熱交換器３０´に対向した側面から突出している。
【００５４】
熱交換器３０´の分離式蓄熱器２０´‐１、２０´‐２、２０´‐３、２０´‐４に対向した側面には１２個の開口部３７が設けられている。１２本のヒートパイプ４０の冷却部４３は、それぞれ熱交換器３０´の開口部３７に挿入されることで、熱交換器３０´は、太陽熱集熱器１０と一体化された４つの分離式蓄熱器２０´‐１、２０´‐２、２０´‐３、２０´‐４に組み付けられ、また分離式蓄熱器２０´‐１、２０´‐２、２０´‐３、２０´‐４と熱的に接続される。第２実施形態例に係る太陽熱利用温水器１´は、蓄熱器が分割され、熱交換器も本体から取り外せるので、屋根等への設置作業の負荷を低減できる。また、簡単に組み立てが可能なので、設置作業が容易である。
【００５５】
次に、図７を用いて、上記した熱交換器３０´について詳細に説明する。上記第１実施形態例に係る太陽熱利用温水器１では、熱交換器３０は、複数の熱交換器用プレートフィン３１を備えており、熱交換器用プレートフィン３１がヒートパイプ４０に直接取り付けられていたが、これに代えて、第２実施形態例に係る太陽熱利用温水器１´では、図７に示すように、複数の熱交換器用プレートフィン３１´と、複数の熱交換器用プレートフィン３１´がそれぞれ取り付けられた管状体３６とを備えた熱交換器３０´を用いている。それぞれの熱交換器用プレートフィン３１´には、管状体３６を嵌め差し込むための孔部（図示せず）、すなわち管状体３６の外形に対応した形状を有する孔部が、所定位置（ヒートパイプ４０の配置に対応した位置であって、熱交換器用プレートフィン３１´の高さ方向の略中央部）に所定数量（太陽熱利用温水器１´では１２個）設けられている。１つの孔部に１本の管状体３６が挿入されることで、孔部の内壁面と管状体３６の外側表面が直接接触してそれぞれの熱交換器用プレートフィン３１´が管状体３６に取り付けられる。これにより、それぞれの熱交換器用プレートフィン３１´は管状体３６と熱的にも接続される。また、管状体３６は蓄熱器２０に対向した側面に開口部３７を有し、管状体３６の中空部内壁面はヒートパイプ４０の外形に対応した形状を有している。よって、太陽熱集熱器１０と蓄熱器２０´を備えたヒートパイプ４０が管状体３６内部に挿入されることで、ヒートパイプ４０の冷却部４３に熱交換器３０´が取り付けられる。
【００５６】
上記のように、ヒートパイプ４０が管状体３６に挿入されると、管状体３６内部にヒートパイプ４０が嵌合、すなわち管状体３６の中空部内壁面がヒートパイプ４０の表面に直接接触するので、管状体３６はヒートパイプ４０と熱的に接続される。従って、熱交換器用プレートフィン３１´は管状体３６を介してヒートパイプ４０と熱的に接続されることとなる。また、熱交換器３０と同様に、通水の流路規制と漏水防止のために、熱交換器３０´に樹脂性のカバー５０が取り付けられている。
【００５７】
次に、図８を用いて、蓄熱器が複数設けられた太陽熱利用温水器の実施形態例について説明する。上記第１実施形態例に係る太陽熱利用温水器１では、１つの蓄熱器２０、上記第２実施形態例に係る太陽熱利用温水器１´では、４つの分離式蓄熱器２０´‐１、２０´‐２、２０´‐３、２０´‐４から構成された１つの蓄熱器２０´が取り付けられていたが、これに代えて、図８に示すように、太陽熱集熱器１０と熱交換器３０の間に、複数（図８では３つ）の蓄熱器２０A、２０B、２０Cを取り付けた太陽熱利用温水器２としてもよい。太陽熱利用温水器２では、太陽熱利用温水器１で用いた蓄熱器２０を３つ取り付けている。この実施形態例では、蓄熱器２０A、２０B、２０Cは、ヒートパイプ４０の長手方向に沿って並列に取り付けられている。この態様では、それぞれ別のタイミングにて、蓄熱器２０A、２０B、２０Cの過冷却状態を解除することで、放熱のタイミングを複数回（図８では３回）設定できる。従って、一度、蓄熱することで、所定間隔にて断続的に太陽熱利用温水器２を使用できる。
【００５８】
また、蓄熱器２０Aの潜熱蓄熱材２４A、蓄熱器２０Bの潜熱蓄熱材２４B、蓄熱器２０Cの潜熱蓄熱材２４Cは、それぞれ、同一種類のものを使用してもよく、必要に応じて、蓄熱器２０A、２０B、２０Cごとに、融点の異なる潜熱蓄熱材２４A、２４B、２４Cを配置、例えば、蓄熱器２０Aには融点６５℃の潜熱蓄熱材２４A、蓄熱器２０Bには融点６０℃の潜熱蓄熱材２４B、蓄熱器２０Cには融点５５℃の潜熱蓄熱材２４Cを、それぞれ、配置してもよい。蓄熱器２０A、２０B、２０Cごとに融点の異なる潜熱蓄熱材２４A、２４B、２４Cを配置することにより、日射量が少ない日でも、確実に蓄熱できる。
【００５９】
つまり、過冷却を起こすタイプの潜熱蓄熱材を用いる場合、日射量が少ないために部分的に固相が残ったままで蓄熱過程が終了して冷却されると、潜熱蓄熱材は残った固相を核にして固相が成長して常温に下がるまでの間に潜熱を放出してしまう。従って、蓄熱器２０A、２０B、２０Cごとに融点の異なる潜熱蓄熱材２０A、２０B、２０Cを配置することで、日射量が少なくても、融点の低い潜熱蓄熱材に固相を残さず蓄熱できるので、曇天時でも効率よく太陽熱を利用できる。
【００６０】
次に、図９を用いて、蓄熱器と熱交換器が複数設けられた太陽熱利用温水器の実施形態例について説明する。上記第１、第２実施形態例に係る太陽熱利用温水器１、１´では、熱交換器３０、３０´が１つ取り付けられていたが、これに代えて、図９に示すように、複数（図９では３つ）の熱交換器３０A´、３０B´、３０C´を取り付けた太陽熱利用温水器２´としてもよい。太陽熱利用温水器２´でも、太陽熱利用温水器１で用いた蓄熱器２０を３つ取り付けている。この実施形態例では、熱交換器３０A´、３０B´、３０C´はヒートパイプ４０の長手方向に沿って並列に取り付けられている。また、蓄熱器２０A´、２０B´、２０C´も、ヒートパイプ４０の長手方向に沿って並列に複数（図９では３つ）取り付けられており、この蓄熱器２０A´、２０B´、２０C´は、熱交換器３０A´、３０B´、３０C´と交互に配置されている。すなわち、蓄熱器２０A´と熱交換器３０A´、蓄熱器２０B´と熱交換器３０B´、蓄熱器２０C´と熱交換器３０C´が、それぞれ、隣接して配置されている。
【００６１】
太陽熱利用温水器２´では、いずれの蓄熱器２０A´、２０B´、２０C´も、いずれかの熱交換器３０A´、３０B´、３０C´と隣接、すなわち各蓄熱器２０A´、２０B´、２０C´と各熱交換器３０A´、３０B´、３０C´間の距離が近いので、別々のタイミングにてそれぞれの蓄熱器２０A´、２０B´、２０C´に設けた潜熱蓄熱材２４A´、２４B´、２４C´の過冷却状態を解除した場合でも、優れた熱交換効率を得ることができる。従って、熱交換器３０A´、３０B´、３０C´ごとに給水源を接続することで、いずれのタイミングでも効率的に太陽熱を利用して温水を製造できる。また、太陽熱利用温水器２´でも、太陽熱利用温水器２と同様に、潜熱蓄熱材２４A´、２４B´、２４C´は同一種類のものを使用してもよく、必要に応じて、蓄熱器２０A´、２０B´、２０C´ごとに融点の異なる潜熱蓄熱材２４A´、２４B´、２４C´を配置、例えば、蓄熱器２０A´には融点６５℃の潜熱蓄熱材２４A´、蓄熱器２０B´には融点６０℃の潜熱蓄熱材２４B´、蓄熱器２０C´には融点５５℃の潜熱蓄熱材２４C´を配置してもよい。
【００６２】
次に、本発明のその他の実施形態例について説明する。上記各実施形態例では、ヒートパイプ４０にて太陽熱を輸送したが、これに代えて、銅、アルミ等の金属といった熱伝導性に優れた材料にて、太陽熱を太陽熱集熱器から熱交換器へ輸送してもよい。また、前記材料の形状には、管状体、棒状体等の長尺形状を有する熱伝導部材が挙げられる。上記各実施形態例では太陽熱集熱器１０は、ガラス製管状部材１１と、ガラス製管状部材１１に内壁側面に沿って収容された黒色の集熱板１２とを備えていたが、これに代えて、図１０に示すように、底板１６と側板１７と上蓋１８とで形成された透光性を有するガラス製の箱状体１５と、底板１６表面に配置された黒色の集熱板１２´とを備えた太陽熱集熱器１０´を用いてもよい。太陽熱集熱器１０´では、必要に応じて、底板１６の裏面に断熱材を敷いてもよい。ヒートパイプ４０は箱状体１５内部に収容されて、太陽熱集熱器１０´と熱的に接続される。太陽熱集熱器１０´が太陽の日射を受光すると、主に上蓋１８から入射した太陽光が集熱板１２´へ到達し太陽熱集熱器１０´が昇温する。
【００６３】
上記各実施形態例では、１つの太陽熱利用温水器１、１´に、太陽熱集熱器１０が１２本設けられていたが、必要とする熱量に応じて、適宜数量変更が可能である。
【００６４】
上記第１実施形態例では、熱交換器３０は、複数の熱交換器用プレートフィン３１を備え、それぞれの熱交換器用プレートフィン３１がヒートパイプ４０に直接取り付けられた態様であったが、これに代えて、上記第２実施形態例で用いた複数の熱交換器用プレートフィン３１´と複数の熱交換器用プレートフィン３１´がそれぞれ取り付けられた管状体３６とを備えた熱交換器３０´を第１実施形態例に使用して、第１実施形態例でも本体から熱交換器を取り外し可能な構造としてもよい。また、上記各実施形態例においては熱交換器にはプレートフィンが利用されていたが、キャタピラフィンなどを利用してもよい。
【００６５】
また、上記各実施形態例の熱交換器３０、３０´では、ヒートパイプ４０と熱的に接続された熱交換器用プレートフィン３１、３１´に水道水を直接接触させることにより蓄熱されていた太陽熱と熱交換させていたが、これに代えて、図１１に示すように、ヒートパイプ４０と熱的に接続された第１熱交換部６１と、第１熱交換部６１とは別体であって水道水へ太陽熱を伝達する第２熱交換部６２とを有する熱交換器６０としてもよい。この態様では、第１熱交換部６１と第２熱交換部６２間に設けた配管６３にて第１熱交換部６１から第２熱交換部６２へ不凍液を流すことで、第１熱交換部６１に水道水を間接的に接触させて太陽熱と熱交換させる。第１熱交換部６１で太陽熱を吸収した不凍液は、ポンプ等の液体輸送装置（図示せず）によって第１熱交換部６１から第２熱交換部６２へ流される。不凍液に吸収された太陽熱は、配管６３と熱的に接続された第２熱交換部から通水路６４中の水道水へ伝達されることにより、水道水が加温され温水となる。なお、図１１に示すように、第１熱交換部６１、第２熱交換部６２ともに熱交換器用プレートフィン６５を配置してもよく、どちらか一方にのみ熱交換器用プレートフィン６５を配置してもよい。太陽熱を放熱した不凍液は、図示しない循環経路により再度第１熱交換部６１へ戻される。熱交換器６０は、受熱部である第１熱交換部６１と放熱部である第２熱交換部６２が離れているので、蓄熱器２０と給湯部が離れていても、配管の断熱不具合による熱損失を抑えることができる。
【００６６】
また、上記各実施形態例では、１本のヒートパイプ４０に太陽熱集熱器１０、１０´、蓄熱器２０、２０´、熱交換器３０、３０´が取り付けられていたが、これに代えて、蓄熱器２０、２０´に対応する位置でヒートパイプ４０を２つに分割し、太陽熱集熱器１０、１０´と蓄熱器２０、２０´に熱的に接続された第１ヒートパイプ、蓄熱器２０、２０´と熱交換器３０、３０´に熱的に接続された第２ヒートパイプの構造としてもよい。すなわち、第１ヒートパイプは加熱部と熱中継部を有し、第２ヒートパイプは熱中継部と冷却部を有している。この態様では、蓄熱器２０、２０´の部分でヒートパイプが別体となっているので、ヒートパイプの熱輸送方向の制御を容易化でき、またヒートパイプによる熱輸送を効率化できる。
【００６７】
第１ヒートパイプと第２ヒートパイプのそれぞれの内部に、上記各実施形態例と同様に、ウィック等の毛細管力を発生させる機構を設けてもよく、このとき、第１ヒートパイプの加熱部内部については、毛細管力を発生させる機構を設けなくてもよい。また、太陽熱集熱器１０、１０´、蓄熱器２０、２０´及び熱交換器３０、３０´と熱的に接続されたヒートパイプ４０、太陽熱集熱器１０、１０´及び蓄熱器２０、２０´と熱的に接続された第１ヒートパイプ、蓄熱器２０、２０´及び熱交換器３０、３０´と熱的に接続された第２ヒートパイプを、それぞれ混在させてもよい。
【００６８】
また、上記各実施形態例では、ヒートパイプ４０の長手方向と直交方向の断面形状は円形であったが、これに代えて、矩形状、楕円形状等、適宜変更可能である。
【実施例】
【００６９】
以下に、本発明の実施例を説明するが、本発明は下記実施例に限定されるものではない。
【００７０】
太陽熱利用温水器の製造
φ１５．８８mm、長さ２０００mmのヒートパイプを１２本用意し、この１２本のヒートパイプを等間隔に並列配置しヒートパイプ列とした。このヒートパイプ列の一方の端部に、上記したガラス製管状部材を有する太陽熱集熱器を１本のヒートパイプあたり１個、すなわち計１２個配置した。次に、ヒートパイプ列の太陽熱集熱器に隣接した位置に、厚さ１mm、高さ１４８mm、幅２０００mmのアルミニウム製プレートフィン６４枚をプレートフィンの高さ方向中央部にてフィン挿しした。プレートフィンは６mm間隔に配置した。６３箇所のプレートフィン間に、それぞれ、酢酸ナトリウム水和物（潜熱蓄熱材）１１５０ｇを袋状のラミネート材に収納した蓄熱部（厚さ５mm）を２枚（ヒートパイプを境に上下１枚ずつ）挟持させて、１２本のヒートパイプに熱的に接続された２０００mm×３７９mm×１４８mmの蓄熱器を作製した。
【００７１】
さらに、蓄熱器を設けたヒートパイプ列の他方の端部に、厚さ１mm、高さ２５．８８mm、幅２０００mmの銅製プレートフィン５０枚をプレートフィンの高さ方向中央部にてフィン挿しした。プレートフィンは３mm間隔に配置して、２０００mm×１４８mm×２５．８８mmの熱交換器を作製した。熱交換器の両端部のプレートフィンについては、水密構造とするためにプレートフィンにバーリングを設け、バーリング部分にシーリング接着材を塗布した。また、蓄熱器は、放熱防止のために樹脂製カバーで覆い、熱交換器には通水路として樹脂製カバーを設置した。
【００７２】
試験結果
あらかじめ、上記太陽熱利用温水器に、５時間、太陽の日射を受光させて太陽熱を蓄熱させた。その後、太陽熱利用温水器の熱交換器に水道を直接接続して５℃の上水を供給したところ、熱交換器から２０リットル／ｍｉｎの供給量で温度５５℃の湯を５０５リットル得ることができた。これを５℃の上水と混合させることにより、風呂給湯などに必要とされる４２℃の湯を６７０リットル得られた。この湯量は２４号のガス給湯器と同等の能力を持つものであった。
【産業上の利用可能性】
【００７３】
本発明は、太陽熱の利用効率が優れており、小型化され、設置も容易なので、特に、温水器の分野で利用価値が高い。
【符号の説明】
【００７４】
１、１´、２、２´  太陽熱利用温水器
１０、１０´        太陽熱集熱器
２０、２０´        蓄熱器
２１、２１´        蓄熱器用プレートフィン
２２                蓄熱部
２５                突起
３０、３０´        熱交換器
３１、３１´        熱交換器用プレートフィン
３６                管状体
４０                ヒートパイプ
６０                熱交換器
６１                第１熱交換部
６２                第２熱交換部
【図１】
0005739682.tif 000002
【図２】
0005739682.tif 000003
【図３】
0005739682.tif 000004
【図４】
0005739682.tif 000005
【図５】
0005739682.tif 000006
【図６】
0005739682.tif 000007
【図７】
0005739682.tif 000008
【図８】
0005739682.tif 000009
【図９】
0005739682.tif 000010
【図１０】
0005739682.tif 000011
【図１１】
0005739682.tif 000012
【図１２】
0005739682.tif 000013
【図１３】
0005739682.tif 000014
【図１４】
0005739682.tif 000015